(57)【要約】【課題】  ＷＣＤＭＡ  ＴＤＤ方式やＴＤ−ＳＣＤＭＡ方式のように、ＴＤＭＡ方式及びＣＤＭＡ方式が混合された無線移動通信システムにおいて、コードドメイン電力及びタイムドメイン電力を同時に測定して表示し得る。【解決手段】  出力電力を測定する区間を指定する段階と、該指定された区間でタイムドメイン電力を測定する段階と、前記指定された区間でコードドメイン電力を測定する段階と、それら測定されたタイムドメイン電力及びコードドメイン電力を同時に表示部に表示する段階と、を含む無線システムの電力測定方法を提供する。【選択図】    図１
2005160066.tif 000002
【特許請求の範囲】
【請求項１】
出力電力を測定する区間を指定する段階と、
該指定された区間でタイムドメイン電力を測定する段階と、
前記指定された区間でコードドメイン電力を測定する段階と、
それら測定されたタイムドメイン電力及びコードドメイン電力を同時に表示部に表示する段階と、
を含むことを特徴とする無線システムにおける電力測定方法。
【請求項２】
前記区間は、基地局から端末機に信号及びデータを伝送するダウンリンク区間である基地局区間を含むことを特徴とする請求項１に記載の無線システムにおける電力測定方法。
【請求項３】
前記区間は、携帯端末機から基地局に信号及びデータを伝送するアップリンク区間である携帯端末機区間を含むことを特徴とする請求項１に記載の無線システムにおける電力測定方法。
【請求項４】
前記区間は、基地局区間及び携帯端末機区間を全部含むことを特徴とする請求項１に記載の無線システムにおける電力測定方法。
【請求項５】
前記指定された区間でタイムドメイン電力を測定する段階は、
前記指定された区間内の各タイムスロットごとに信号値を検出し、該検出された信号値をメモリに臨時貯蔵する段階と、
該臨時貯蔵された信号値を利用してタイムドメイン電力を測定する段階と、を含むことを特徴とする請求項１に記載の無線システムにおける電力測定方法。
【請求項６】
前記コードドメイン電力を測定する段階は、
指定された区間をコードチャネル別に区分し、該当コードドメインの直交性を判断してチャネル番号を検出し、該当出力電力を貯蔵する段階と、をさらに含むことを特徴とする請求項１に記載の無線システムにおける電力測定方法。
【請求項７】
前記検出されたコードドメインのチャネル番号がコードドメインチャネルの最大長さ値になるまで前記コードドメインの直交性を反復判断することを特徴とする請求項６に記載の無線システムにおける電力測定方法。
【請求項８】
前記コードドメインチャネルの最大長さ値は、ＯＶＳＦ符号による最大拡散係数を含むことを特徴とする請求項６に記載の無線システムにおける電力測定方法。
【請求項９】
前記測定されたタイムドメイン電力及びコードドメイン電力を共に表示部に表示する段階は、
測定された各コードドメインのチャネル情報を分析する段階と、
前記チャネル情報、前記測定されたタイムドメイン電力及びコードドメイン電力を共に表示部に表示する段階と、を含むことを特徴とする請求項１に記載の無線システムにおける電力測定方法。
【請求項１０】
前記チャネル情報は、各コードチャネル名、拡散係数、タイムスロットナンバーを含むことを特徴とする請求項９に記載の無線システムにおける電力測定方法。
【請求項１１】
前記チャネル情報は、表示部上のチャネル情報欄に文字及び図形によって表示されることを特徴とする請求項９に記載の無線システムにおける電力測定方法。
【請求項１２】
前記チャネル名は、コードチャネル電力レベルに重ねて書く方式によって表記し得ることを特徴とする請求項１０に記載の無線システムにおける電力測定方法。
【請求項１３】
前記チャネル名は、選択的に省略可能であることを特徴とする請求項１０に記載の無線システムにおける電力測定方法。
【請求項１４】
前記タイムドメイン電力は、ｄＢｍ単位で表示されることを特徴とする請求項９に記載の無線システムにおける電力測定方法。
【請求項１５】
前記コードドメイン電力は、ｄＢ単位で表示されることを特徴とする請求項９に記載の無線システムにおける電力測定方法。
【請求項１６】
前記チャネル情報、測定されたタイムドメイン電力及びコードドメイン電力を共に表示部に表示する段階は、
いずれか１つのタイムスロットを選択して該当タイムスロットのチャネル情報、測定されたタイムドメイン電力及びコードドメイン電力を表示する段階をさらに含むことを特徴とする請求項９に記載の無線システムにおける電力測定方法。
【請求項１７】
前記チャネル情報及び測定されたタイムドメイン電力を共に表示部に表示する段階は、
アップリンク及びダウンリンクの平均値のみを表示する段階をさらに含むことを特徴とする請求項９に記載の無線システムにおける電力測定方法。
【請求項１８】
前記平均値は、予め設定された時間の間に測定された電力の平均値であることを特徴とする請求項１７に記載の無線システムにおける電力測定方法。
【請求項１９】
前記無線システムは、ＴＤＭＡ方式及びＣＤＭＡ方式が混合されたシステムであることを特徴とする請求項１に記載の無線システムにおける電力測定方法。
【発明の詳細な説明】
【技術分野】
【０００１】
本発明は、無線システムに関し、特に、時分割多重接続（Ｔｉｍｅ  Ｄｉｖｉｓｉｏｎ  Ｍｕｌｔｉｐｌｅ  Ａｃｃｅｓｓ：  ＴＤＭＡ）方式及び符号分割多重接続（Ｃｏｄｅ  Ｄｉｖｉｓｉｏｎ  Ｍｕｌｔｉｐｌｅ  Ａｃｃｅｓｓ：  ＣＤＭＡ）方式が混合された無線移動通信システムにおける電力測定方法に関する。
【背景技術】
【０００２】
一般に、多数の使用者が同時に時間及び周波数を共有して接続可能な方式を多重接続方式と呼ぶ。前記多重接続方式としては、周波数分割方式、時間分割方式、コード分割方式の３つの方式があるが、そのうち周波数分割多重接続（Ｆｒｅｑｕｅｎｃｙ  Ｄｉｖｉｓｉｏｎ  Ｍｕｌｔｉｐｌｅ  Ａｃｃｅｓｓ：  ＦＤＭＡ）方式は、使用者ごとに１つずつ周波数を割り当てる方法である。
【０００３】
ＴＤＭＡは、ＦＤＭＡの周波数分割概念に時間分割概念を加えたものである。ＴＤＭＡにおいて、音声信号は、デジタルフレームまたはパケットに変換されて伝送され、各チャネルは、短い時間周期に分割されている。
【０００４】
ＣＤＭＡは、スペクトル拡散技術を応用した方式で、複数の使用者が同時に時間及び周波数を共有する。前記共有される時間及び周波数は固有のコードによって分割され、前記コードによって拡散されたデータを変調及び復調するために送受信期間同期を合せなければならない。
【０００５】
一般に、このようなＴＤＭＡ／ＣＤＭＡ移動通信システムの性能は、基地局及び携帯端末機の出力電力の品質を測定することによって確認する。前記ＴＤＭＡ方式では、タイムドメイン電力（Ｔｉｍｅ  ｄｏｍａｉｎ  ｐｏｗｅｒ）を測定し、前記ＣＤＭＡ方式では、コードドメイン電力（Ｃｏｄｅ  ｄｏｍａｉｎ  ｐｏｗｅｒ）を測定する。既存のタイムドメイン電力を測定する装備及びコードドメイン電力を測定する装備は同一でないため、タイムドメイン電力を測定する装備はＴＤＭＡ方式のシステムでのみ使用し、コードドメイン電力を測定する装備は、ＣＤＭＡ方式のシステムでのみ使用することができる。
【０００６】
前記出力電力の品質測定のために、ＣＤＭＡ方式では、割り当てられた一定の周波数帯域をそれぞれ相異するコードによって分割してチャネルを区分するが、このとき、送信周波数と受信周波数が異なるので、高周波段でデュプレクサ  （Ｄｕｐｌｅｘｅｒ）を使用する。また、前記ＴＤＭＡ方式では、送受信において同一周波数帯域が割り当てられ、時分割スイッチングによって送信チャネルと受信チャネルが区分されるため、高周波段で時分割スイッチを使用する。
【０００７】
前記タイムドメイン上またはコードドメイン上で、基地局または端末の出力電力の品質を測定して移動通信システムの性能を確認することは、重要なことであり、端末生産の時、品質のテスト、基地局と端末間の通信品質測定、無線資源運用など、移動通信産業の全般にかけて活用度が非常に高い。
【０００８】
図３は、既存のＴＤＭＡシステムの一例で、ＧＳＭ（ｇｌｏｂａｌ  ｓｙｓｔｅｍ  ｆｏｒ  ｍｏｂｉｌｅ  ｃｏｍｍｕｎｉｃａｔｉｏｎ）方式におけるタイムドメイン電力測定を示す図である。
【０００９】
図３を参照すると、ＧＳＭ方式においてアップリンク及びダウンリンクに割り当てられる周波数帯域は、それぞれのチャネルに分割され、該分割されたチャネルは、またＴＤＭＡ方式を利用して時間に分割されるが、このとき、ＴＤＭＡにおける基礎単位であるタイムスロット（Ｔｉｍｅ  ｓｌｏｔ）（または、バーストピリオド（Ｂｕｒｓｔ  Ｐｅｒｉｏｄ）とも呼ぶ）に分けられる。前記アップリンクは、端末機から基地局方向への伝送経路で、前記ダウンリンクは、逆に基地局から端末機への伝送経路である。１つのＴＤＭＡフレームは８つのタイムスロット（ＴＳ０〜ＴＳ７）に分けられ、このように時間をタイムスロットに分けることにより、それぞれのタイムスロットごとの電力強度を測定して表す、前記電力強度は、ｄＢｍ単位で表示され、タイムスロット０はダウンリンクに割り当てられて基地局から携帯端末機を制御するデータ信号または運用情報を伝送する。さらに、残りのタイムスロットであるＴＳ１〜ＴＳ７は、アップリンク及びダウンリンクデータのために割り当てられたもので、各チャネルで運用中のレベルを検出して表示する。
【００１０】
図４は、既存のＣＤＭＡ方式移動通信システムの一例で、ＩＳ−９６方式におけるコードドメイン電力測定を示す図で、図示されたように、ＩＳ−９６方式において、チャネルは、０から６３まで６４個に分けられ、それら分けられたそれぞれのチャネル別にチャネルの出力電力が測定されて図示される。このとき、コードドメイン電力の強度はｄＢ単位で表示される。ＣＤＭＡ方式の移動通信システムにおいて、コードドメイン電力を測定して表示する場合、各チャネルの信号電力だけでなく、雑音電力も同時に測定することができる。図面において、他のチャネルに比べて顕著にその大きさが小さいチャネル３、６、５９は、伝送するデータの割り当てを受けていない雑音電力が表示されたことで、その測定結果が１つの同一画面に共に表示されるため、信号対雑音比（Ｓｉｇｎａｌ  ｔｏ  Ｎｏｉｓｅ  Ｒａｔｉｏ：  ＳＮＲまたはＳ／Ｒ）を一目で分かる。
【００１１】
一方、前述したようにＣＤＭＡ方式においてチャネルを区分するために、一般的にはウォルシュ符号（Ｗａｌｓｈ  ｃｏｄｅ）を使用する。ＣＤＭＡでは、同一周波数を多数の使用者が使用するため、電力管理が必須であり、従って、基地局の電力をウォルシュ符号別に区分して測定し、また非動作コード電力と総電力を比較してコードドメイン電力を測定することにより、適切に電力を分配してチャネル間の干渉を減らし、セクターの容量を極大化する。
【００１２】
図５は、一般のＣＤＭＡ方式においてウォルシュ符号長（Ｗａｌｓｈ  ｃｏｄｅ  ｌｅｎｇｔｈ）付与によって割り当てられるチャネル状態を示す図で、図示されたように、ウォルシュ符号長が４（Ｌ＝４）として付与される場合、０から３までの４つのチャネルが割り当てられ、ウォルシュ符号長が８（Ｌ＝８）として付与される場合、０から７までの８つのチャネルが割り当てられ、同様に、ウォルシュ符号長が１６（Ｌ＝１６）として付与されると、０から１５までの１６個のチャネルが割り当てられる。以上から、チャネルの割り当ては、ウォルシュ符号長であるＬ値に比例することが分かる。
【００１３】
図６は、ＣＷＴＳ（Ｃｈｉｎａ  ｗｉｒｅｌｅｓｓ  ｔｅｌｅｃｏｍｍｕｎｉｃａｔｉｏｎ  ｓｔａｎｄａｒｄ  ｇｒｏｕｐ）で発表したＴＤ−ＳＣＤＭＡのアップリンク／ダウンリンクタイムスロットを示す図である。ＣＷＴＳは、ＴＤ−ＳＣＤＭＡの規格を提案したが、ここでは、スペック３ＧＰＰ  ＴＳ  ３５．２２１及びＣＷＴＳ  ＴＳＭ  ５．０２の内容を参考して説明する。
【００１４】
図６に示すように、ＴＤ−ＳＣＤＭＡの場合、１フレームは、ＴＳ０〜ＴＳ６までのそれぞれ６７５μｓの時間を有する７つのタイムスロットに分けられ、ＴＳ０と  ＴＳ１間には、特別な３つのスロット、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）が存在する。前記ＤｗＰＴＳ、ＧＰ、ＵｐＰＴＳは、常に固定されているＴＳ０とＴＳ１を区分する。また、前記ＤｗＰＴＳ、ＧＰ、ＵｐＰＴＳは、直交コードによって拡散変調されるとは言えないため、コードドメイン上では測定する必要がない。さらに、アップリンク及びダウンリンクは、スイッチングポイント（ｓｗｉｔｃｈｉｎｇ  ｐｏｉｎｔ）を基準にスイッチングポイント前はアップリンクに割り当てられ、その後ろはダウンリンクに割り当てられる。
【００１５】
前述したように、ＣＤＭＡ方式のシステムにおいて、送信電力の強度を測定するために、チャネル別の出力電力を測定するコードドメイン電力測定が行われた。しかしながら、基地局及び端末機の送信周波数が異なり、各ＣＤＭＡチャネルに対してＴＤＭＡ方式が導入されなかったため、ＴＤＭＡ方式におけるコードドメイン電力測の定案は提示されなかった。同様に、ＣＤＭＡ方式におけるタイムドメイン電力測定方法も全然ない状態である。そのため、今後展開される、例えば、ＷＣＤＭＡＴＤＤ（Ｗｉｄｅｂａｎｄ  ＣＤＭＡ  Ｔｉｍｅ  Ｄｉｖｉｓｉｏｎ  Ｄｕｐｌｅｘ）方式のシステムまたはＴＤ−ＳＣＤＭＡ（Ｔｉｍｅ  Ｄｉｖｉｓｉｏｎ  Ｓｙｎｃｈｒｏｎｏｕｓ  ＣＤＭＡ）方式のシステムのようにＴＤＭＡ及びＣＤＭＡが混合された次世代移動通信システムにおいては、コード領域の測定方案がないという問題点がある。
【発明の開示】
【発明が解決しようとする課題】
【００１６】
本発明は、前記のような問題点を解決するために提案されたもので、本発明の目的は、今後展開されるＷＣＤＭＡ  ＴＤＤ方式やＴＤ−ＳＣＤＭＡ方式のように、ＴＤＭＡ方式及びＣＤＭＡ方式が混合された無線移動通信システムにおいて、コードドメイン電力及びタイムドメイン電力を同時に測定して表示し得る無線システムの電力測定方法を提供することにある。
【課題を解決するための手段】
【００１７】
このような目的を達成するために本発明による無線システムの電力測定方法は、出力電力を測定する区間を指定する段階と、該指定された区間でタイムドメイン電力を測定する段階と、前記指定された区間でコードドメイン電力を測定する段階と、それら測定されたタイムドメイン電力及びコードドメイン電力を同時に表示部に表示する段階と、を含むことを特徴とする。
【００１８】
望ましくは、前記無線システムは、例えば、ＷＣＤＭＡ  ＴＤＤ方式やＴＤ−ＳＣＤＭＡ方式のように、ＴＤＭＡ方式及びＣＤＭＡ方式が混合された無線移動通信システムであることを特徴とする。
【００１９】
望ましくは、前記表示部には、コードドメイン電力及びタイムドメイン電力以外も、チャネル名、ＳＦ、コードナンバーなどがマーカーによって表示されることを特徴とする。前記チャネル名は、コードチャネル電力レベルに重ねて書く方式によて表記されることもでき、選択的に省略することもできる。
【００２０】
上記目的を達成するために、本発明は、例えば、以下の手段を提供する。
（項目１）
出力電力を測定する区間を指定する段階と、
該指定された区間でタイムドメイン電力を測定する段階と、
前記指定された区間でコードドメイン電力を測定する段階と、
それら測定されたタイムドメイン電力及びコードドメイン電力を同時に表示部に表示する段階と、
を含むことを特徴とする無線システムにおける電力測定方法。
（項目２）
前記区間は、基地局から端末機に信号及びデータを伝送するダウンリンク区間である基地局区間を含むことを特徴とする請求項１に記載の無線システムにおける電力測定方法。
（項目３）
前記区間は、携帯端末機から基地局に信号及びデータを伝送するアップリンク区間である携帯端末機区間を含むことを特徴とする請求項１に記載の無線システムにおける電力測定方法。
（項目４）
前記区間は、基地局区間及び携帯端末機区間を全部含むことを特徴とする請求項１に記載の無線システムにおける電力測定方法。
（項目５）
前記指定された区間でタイムドメイン電力を測定する段階は、
前記指定された区間内の各タイムスロットごとに信号値を検出し、該検出された信号値をメモリに臨時貯蔵する段階と、
該臨時貯蔵された信号値を利用してタイムドメイン電力を測定する段階と、を含むことを特徴とする請求項１に記載の無線システムにおける電力測定方法。
（項目６）
前記コードドメイン電力を測定する段階は、
指定された区間をコードチャネル別に区分し、該当コードドメインの直交性を判断してチャネル番号を検出し、該当出力電力を貯蔵する段階と、をさらに含むことを特徴とする請求項１に記載の無線システムにおける電力測定方法。
（項目７）
前記検出されたコードドメインのチャネル番号がコードドメインチャネルの最大長さ値になるまで前記コードドメインの直交性を反復判断することを特徴とする請求項６に記載の無線システムにおける電力測定方法。
（項目８）
前記コードドメインチャネルの最大長さ値は、ＯＶＳＦ符号による最大拡散係数を含むことを特徴とする請求項６に記載の無線システムにおける電力測定方法。
（項目９）  
前記測定されたタイムドメイン電力及びコードドメイン電力を共に表示部に表示する段階は、
測定された各コードドメインのチャネル情報を分析する段階と、
前記チャネル情報、前記測定されたタイムドメイン電力及びコードドメイン電力を共に表示部に表示する段階と、を含むことを特徴とする請求項１に記載の無線システムにおける電力測定方法。
（項目１０）  
前記チャネル情報は、各コードチャネル名、拡散係数、タイムスロットナンバーを含むことを特徴とする請求項９に記載の無線システムにおける電力測定方法。
（項目１１）  
前記チャネル情報は、表示部上のチャネル情報欄に文字及び図形によって表示されることを特徴とする請求項９に記載の無線システムにおける電力測定方法。
（項目１２）  
前記チャネル名は、コードチャネル電力レベルに重ねて書く方式によって表記し得ることを特徴とする請求項１０に記載の無線システムにおける電力測定方法。
（項目１３）  
前記チャネル名は、選択的に省略可能であることを特徴とする請求項１０に記載の無線システムにおける電力測定方法。
（項目１４）                
前記タイムドメイン電力は、ｄＢｍ単位で表示されることを特徴とする請求項９に記載の無線システムにおける電力測定方法。
（項目１５）  
前記コードドメイン電力は、ｄＢ単位で表示されることを特徴とする請求項９に記載の無線システムにおける電力測定方法。
（項目１６）  
前記チャネル情報、測定されたタイムドメイン電力及びコードドメイン電力を共に表示部に表示する段階は、
いずれか１つのタイムスロットを選択して該当タイムスロットのチャネル情報、測定されたタイムドメイン電力及びコードドメイン電力を表示する段階をさらに含むことを特徴とする請求項９に記載の無線システムにおける電力測定方法。
（項目１７）  
前記チャネル情報及び測定されたタイムドメイン電力を共に表示部に表示する段階は、
アップリンク及びダウンリンクの平均値のみを表示する段階をさらに含むことを特徴とする請求項９に記載の無線システムにおける電力測定方法。
（項目１８）  
前記平均値は、予め設定された時間の間に測定された電力の平均値であることを特徴とする請求項１７に記載の無線システムにおける電力測定方法。
（項目１９）  
前記無線システムは、ＴＤＭＡ方式及びＣＤＭＡ方式が混合されたシステムであることを特徴とする請求項１に記載の無線システムにおける電力測定方法。
【発明の効果】
【００２１】
本発明による無線システムのドメイン電力測定方法は、従来には不可能であったタイムドメイン上でコードドメイン電力を測定する方案を提示することによって、今後展開されるＴＤ−ＳＣＤＭＡやＷＣＤＭＡ  ＴＤＤ方式のようにＴＤＭＡ及びＣＤＭＡが混合された方式のシステムにおいて、タイムドメイン電力及びコードドメイン電力を共に測定し、一目で見られるように表示するという効果がある。
【００２２】
また、従来には１つのタイムスロット当たりピークコードドメインエラー（Ｐｅａｋ  Ｃｏｄｅ  Ｄｏｍａｉｎ  Ｅｒｒｏｒ）を測定して各チャネルの直交性及びチャネル電力を測定するように勧告されただけで、その具体的な方案が言及されなかったタイムドメイン上でのコードドメイン電力測定方案を提示することによって、以後当該分野の技術開発の指標になるという効果がある。
【発明を実施するための最良の形態】
【００２３】
本発明は、今後展開されるＷＣＤＭＡ  ＴＤＤ方式またはＴＤ−ＳＣＤＭＡ方式において具現される。それだけでなく、ＴＤＭＡ方式及びＣＤＭＡ方式が混合された無線移動通信システムの場合は、いずれもシステムにも本発明を実現することができる。
【００２４】
ＷＣＤＭＡ  ＴＤＤ方式及びＴＤ−ＳＣＤＭＡ方式は、アップリンク及びダウンリンクが時間分割によって分離されているため、１つの周波数帯のみが必要である。まだ、対を成す（ｐａｉｒｅｄ）、即ち、アップリンク及びダウンリンクが周波数分割によって分離されたスペクトラムが選好されているが、対を成すスペクトラムの汎世界的な割り当てが難しいため、今後は、対を成さない（ｕｎｐａｉｒｅｄ）スペクトラムが追加に指定されて使用されるはずで、ここに１つの周波数帯のみを必要とする前記ＴＤＤ方式が適用される。
【００２５】
以下、図面を参照して本発明の望ましい実施形態を説明する。
【００２６】
図１は、前述したようにＴＤＭＡ及びＣＤＭＡが混合された方式の無線移動通信システムにおける電力測定方法の過程を示すフローチャートである。
【００２７】
図１を参照すると、まず、システムの出力電力を測定するための設定として、出力電力を測定する測定区間を指定する（Ｓ１０）。前記測定区間指定は、基地局区間または携帯端末機区間のうち１つを指定するか、または、基地局区間及び携帯端末機区間全部を指定することであり、測定のためにタイムスロットに分けられたタイムドメイン測定区間が指定される。測定区間を指定すると、以後の過程は、タイムドメイン電力を測定する過程であり、前記指定された測定区間内のタイムスロットごとの信号値を検出し、測定装置の内部メモリに臨時に記録貯蔵する（Ｓ２０）。また、該記録貯蔵された測定区間の該当タイムスロットによる信号値からタイムドメインによる出力電力、即ち、タイムドメイン電力を測定してメモリに貯蔵する（Ｓ３０）。
【００２８】
次の過程は、前記タイムドメインに該当する各コードドメインの無線出力を測定する過程で、各タイムスロットをコードチャネルに区分し、このとき、１タイムスロットに設定される拡散係数（Ｓｐｒｅａｄｉｎｇ  Ｆａｃｔｏｒ：ＳＦ）は、規格にあわせて、即ち、ＴＤ−ＳＣＤＭＡの場合は、最大ＳＦを１６に設定して１つのタイムスロットに１６個のコードチャネルを割り当て、該当コードドメインの直交性を判断してチャネル番号を検出し、該当出力電力を測定して貯蔵する（Ｓ４０）。前記ＳＦは  、全てのデータシンボルをチップ数によって変換するチャネル化において、１データシンボル当たりチップ数である。次に、前記判断された直交性が、構成できる最大コードドメインまたはウォルシュ符号による最大通信チャネルの値であるか否かを判断する（Ｓ５０）。このとき、各タイムスロット当たりコードチャネルの区分は、ＯＶＳＦ（Ｏｒｔｈｏｇｏｎａｌ  Ｖａｒｉａｂｌｅ  Ｓｐｒｅａｄｉｎｇ  Ｆａｃｔｏｒ）コードの逆順（Ｒｅｖｅｒｓｅｄ  ｏｒｄｅｒ）で直交性を確認して最大ＳＦより短いＳＦが割り当てられても各チャネルを区分し、該区分されたチャネルの電力を測定することができる。
【００２９】
一方、前記コードドメインの直交性判断で、直交性が前記最大通信チャネル値でない場合は、まだ出力電力を測定しないコードドメインがあると判断して、現在のコードドメインチャネル番号値に１を加算し（Ｓ６０）、前記直交性を判断する過程（Ｓ５０）を再び遂行する。前記直交性が前記最大通信チャネル値である場合は、全てのコードドメインの出力電力を測定したと判断し、測定された各コードドメインのチャネル情報を分析する（Ｓ７０）。このとき、前記チャネル情報は、以後表示部に表示するチャネル名、ＳＦ、コード番号及び該当タイムスロットナンバーなどであり、各コードチャネルのＳＦ及びコードナンバーは、受信されたＬａｙｅｒ３メッセージによって認知できるので、コードチャネル測定時刻及び名前の分析及び表記が可能である。チャネル情報の分析が全部終了すると、分析されたチャネル情報をメモリに貯蔵する（Ｓ８０）。次の過程は、表示部に測定結果を表示する過程で、前記測定及び貯蔵したタイムドメイン電力、コードドメイン電力、チャネル情報などを、例えば、ＬＣＤ（Ｌｉｑｕｉｄ  Ｃｒｙｓｔａｌ  Ｄｉｓｐｌａｙ）、ＰＤＰ（ｐｌａｓｍａ  ｄｉｓｐｌａｙ  ｐａｎｅｌ）、ＣＲＴ（ｃａｔｈｏｄｅ−ｒａｙ  ｔｕｂｅ）、ＣＤＴ（ｃｏｌｏｒ  ｄｉｓｐｌａｙ  ｔｕｂｅ）、ＣＰＴ（ｃｏｌｏｒ  ｐｉｃｔｕｒｅ  ｔｕｂｅ）、ＭＤＴ（ｍｕｌｔｉ  ｄｉｓｐｌａｙ  ｔｕｂｅ）、またはＶＦＤ（ｖａｃｕｕｍ  ｆｌｕｏｒｅｓｃｅｎｔ  ｄｉｓｐｌａｙ）などの表示部に表示する（Ｓ９０）。このとき、前記チャネル情報を構成するチャネル名などの表示は、使用者の選択によって、例えば、使用者がボタンを押す方式または予約設定などを通じて表示することもでき、表示されないようにすることもできる。前記チャネル情報は、表示部上のチャネル情報欄に字で表示される。また、タイムドメイン電力の大きさはｄＢｍ単位で、コードドメインの大きさはｄＢ単位で表示する。
【００３０】
次の過程は、測定しない指定されたタイムドメインが残っているか否かを判断する過程で、前記測定されたタイムドメインが最大の指定値を有するか否かを判断する（Ｓ１００）。判断結果、最大の指定値でない場合は、次の測定するタイムドメイン指定値区間を選択した後（Ｓ１１０）、指定された測定区間内のタイムスロットごとの信号値を検出して該当バッファーに記録貯蔵する段階（Ｓ２０）に戻り、以後の段階をまた反復遂行する。一方、測定されたタイムドメインが最大の指定値を有する場合は、全ての区間のタイムドメイン電力及びコードドメイン電力を測定及び表示したと判断して、終了する。
【００３１】
図２は、本発明によるＴＤＭＡ及びＣＤＭＡが混合された方式の無線移動通信システムにおける電力測定方法を実現した一実施形態で、表示部に表示された結果を示す図である。
【００３２】
図２を参照すると、一例として、ＴＤ−ＳＣＤＭＡ方式によって５ｍｓ  周期の測定区間を１フレームに指定し、１フレームは、またＴＳ０〜ＴＳ６までの７個のタイムスロットに分けられる。ＴＤ−ＳＣＤＭＡ方式では、タイムスロット０が基地局から携帯端末機にデータを伝送するダウンリンクに、タイムスロット１は、携帯端末機から基地局にデータを伝送するアップリンクに割り当てられる。残りのタイムスロットのＴＳ２〜ＴＳ６は、サービス事業者によって指定されて割り当てられるので、各サービス事業者のサービス意図またはシステム運用特性によって弾力的に運用される。例えば、ＴＳ１以外もＴＳ２及びＴＳ３を携帯端末機から基地局にデータを伝送するアップリンクに割り当て、ＴＳ０以外もＴＳ４、ＴＳ５、ＴＳ６を基地局から携帯端末機にデータを伝送するダウンリンクに割り当てる場合、測定区間が携帯端末機区間であると、時分割区間としてＴＳ１、ＴＳ２、ＴＳ３のうち１つ以上を指定し、測定区間が基地局区間であると、ＴＳ０、ＴＳ４、ＴＳ５、ＴＳ６のうち１つ以上を指定する。
【００３３】
前述したように、それぞれのタイムスロットに対してタイムドメイン電力を測定して貯蔵する。前記各タイムスロットは、コードチャネルに区分され、１タイムスロットに最大ＳＦ１６として設定されて１つのタイムスロットに１６個のコードチャネルを割り当て、該当コードドメインの直交性をＯＶＳＦコードの逆順で判断してチャネル番号を検出し、該当出力電力、即ち、コードドメイン電力を測定して貯蔵する。以後、チャネル名、ＳＦ、コード番号などのチャネル情報を分析し、表示部に前記測定結果及びチャネル情報を表示する。このように測定及び貯蔵したタイムドメイン電力、コードドメイン電力、チャネル情報、タイムスロット番号などが、図示したように、表示部上のチャネル情報カーンに字で表示される。このとき、前記チャネル情報を構成するチャネル名などの表示は、使用者の選択によって、例えば、使用者がボタンを押す方式または予約設定などを通じて表示することもでき、表示されないようにすることもできる。ディスプレイ部が十分に大きい場合は、チャネル名をコードチャネル電力レベルに重ねて書く方式によって表記することもでき、ディスプレイが小さい場合は、チャネル情報欄に位置したチャネルに限ってその情報を別に表記することができる。また、タイムドメイン電力の大きさはｄＢｍ単位で、コードドメイン電力の大きさはｄＢ単位で表示する。
【００３４】
本発明の応用として、いずれか１つ以上のタイムスロットを選択してそのタイムスロットにのみ該当するコードドメイン電力及びタイムドメイン電力の測定結果を表示部に表示する方法、または、アップリンク及びダウンリンクの平均値のみを表示する方法も実現可能である。
【００３５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３６】
ＷＣＤＭＡ  ＴＤＤ方式やＴＤ−ＳＣＤＭＡ方式のように、ＴＤＭＡ方式及びＣＤＭＡ方式が混合された無線移動通信システムにおいて、コードドメイン電力及びタイムドメイン電力を同時に測定して表示し得る。
【００３７】
出力電力を測定する区間を指定する段階と、該指定された区間でタイムドメイン電力を測定する段階と、前記指定された区間でコードドメイン電力を測定する段階と、それら測定されたタイムドメイン電力及びコードドメイン電力を同時に表示部に表示する段階と、を含む無線システムの電力測定方法を提供する。
【図面の簡単な説明】
【００３８】
【図１】本発明によるＴＤＭＡ及びＣＤＭＡが混合された方式の無線移動通信システムにおける電力測定方法の過程を示すフローチャートである。
【図２】本発明によるＴＤＭＡ及びＣＤＭＡが混合された方式の無線移動通信システムにおける電力測定方法を実現した一実施形態で、表示部に表示された結果を示す図である。
【図３】既存のＴＤＭＡ方式移動通信システムにおけるタイムドメイン電力測定を示す図である。
【図４】既存のＣＤＭＡ方式移動通信システムにおけるコードドメイン電力測定を示す図である。
【図５】一般的なＣＤＭＡ方式において、ウォルシュ符号長の付与によって割り当てられるチャネル状態を示す図である。
【図６】ＣＷＴＳ（Ｃｈｉｎａ  ｗｉｒｅｌｅｓｓ  ｔｅｌｅｃｏｍｍｕｎｉｃａｔｉｏｎ  ｓｔａｎｄａｒｄ  ｇｒｏｕｐ）で発表したＴＤ−ＳＣＤＭＡのアップ／ダウンリンクタイムスロットを示す図である。
【図１】
2005160066.tif 000003
【図２】
2005160066.tif 000004
【図３】
2005160066.tif 000005
【図４】
2005160066.tif 000006
【図５】
2005160066.tif 000007
【図６】
2005160066.tif 000008